(57)【要約】【課題】騒音を低減できるプロジェクターを提供すること。【解決手段】プロジェクターは、外装を構成する外装筐体と、外装筐体に収容され、画像を投射する画像投射装置と、外装筐体に収容されるファンと、を備え、外装筐体は、互いに組み合わされる第１筐体部及び第２筐体部と、第１筐体部及び第２筐体部のうち少なくともいずれかの筐体部により構成され、第１筐体部及び第２筐体部が対向する第１方向に直交する第２方向に交差する側面部と、側面部及びファンの間に位置する壁部と、側面部及び壁部を接続する接続部と、を有する。【選択図】図４
2018017964.tif 000002
【特許請求の範囲】
【請求項１】
外装を構成する外装筐体と、
前記外装筐体に収容され、画像を投射する画像投射装置と、
前記外装筐体に収容されるファンと、を備え、
前記外装筐体は、
互いに組み合わされる第１筐体部及び第２筐体部と、
前記第１筐体部及び前記第２筐体部のうち少なくともいずれかの筐体部により構成され、前記第１筐体部及び前記第２筐体部が対向する第１方向に直交する第２方向に交差する側面部と、
前記側面部及び前記ファンの間に位置する壁部と、
前記側面部及び前記壁部を接続する接続部と、を有することを特徴とするプロジェクター。
【請求項２】
請求項１に記載のプロジェクターにおいて、
前記外装筐体は、前記第１筐体部及び前記第２筐体部を締結する締結部材が挿通する複数のボスを有し、
前記壁部及び前記側面部の少なくともいずれかは、前記複数のボスと接続されていることを特徴とするプロジェクター。
【請求項３】
請求項１又は請求項２に記載のプロジェクターにおいて、
前記第１筐体部及び前記第２筐体部のうち、
一方の筐体部は、前記壁部及び前記接続部を有し、
他方の筐体部は、前記一方の筐体部側に突出して、前記側面部に沿って配置されるリブを有し、
前記接続部は、前記リブが嵌まり込む凹部を有することを特徴とするプロジェクター。
【請求項４】
請求項１から請求項３のいずれか一項に記載のプロジェクターにおいて、
前記側面部と前記壁部との間に設けられる吸音材を有することを特徴とするプロジェクター。
【発明の詳細な説明】
【技術分野】
【０００１】
本発明は、プロジェクターに関する。
【背景技術】
【０００２】
従来、光源装置と、当該光源装置から出射された光を変調して画像情報に応じた画像を形成する光変調装置と、形成された画像を投射する投射光学装置と、これらを収容する外装筐体と、を備えたプロジェクターが知られている。このようなプロジェクターとして、冷却対象を冷却した気体を外装筐体の外部に排出する冷却ファンを備えたものが知られている（例えば、特許文献１参照）。
この特許文献１に記載のプロジェクターでは、冷却ファンとして第１冷却ファン及び第２冷却ファンを有し、これら冷却ファンは、外装筐体を構成するロアーケースの第１筐体に取り付けられている。
【先行技術文献】
【特許文献】
【０００３】
【特許文献１】特開２０１１−２４２５１５号公報
【発明の概要】
【発明が解決しようとする課題】
【０００４】
ところで、冷却ファンが外装筐体の内面に近い位置に配置されていると、当該冷却ファンの駆動に伴って、外装筐体が振動する場合がある。特に、外装筐体における側面部は、上記各装置を支持する底面部に比べて強度や剛性が低い場合があり、冷却ファンの駆動に伴って流通する冷却気体の流れ等によって、振動しやすい。このような外装筐体の振動は、騒音の原因になるという問題がる。
【０００５】
本発明は、上記課題の少なくとも一部を解決することを目的としたものであり、騒音を低減できるプロジェクターを提供することを目的の１つとする。
【課題を解決するための手段】
【０００６】
本発明の一態様に係るプロジェクターは、外装を構成する外装筐体と、前記外装筐体に収容され、画像を投射する画像投射装置と、前記外装筐体に収容されるファンと、を備え、前記外装筐体は、互いに組み合わされる第１筐体部及び第２筐体部と、前記第１筐体部及び前記第２筐体部のうち少なくともいずれかの筐体部により構成され、前記第１筐体部及び前記第２筐体部が対向する第１方向に直交する第２方向に交差する側面部と、前記側面部及び前記ファンの間に位置する壁部と、前記側面部及び前記壁部を接続する接続部と、を有することを特徴とする。
【０００７】
上記一態様によれば、壁部及び接続部によって上記側面部を補強できるので、当該側面部の強度及び剛性を高めることができる。このため、ファンの駆動に伴って側面部が振動するような場合でも、当該側面部の振動を抑制できる。従って、側面部にて振動に伴う騒音が生じることを抑制できる。
【０００８】
上記一態様では、前記外装筐体は、前記第１筐体部及び前記第２筐体部を締結する締結部材が挿通する複数のボスを有し、前記壁部及び前記側面部の少なくともいずれかは、前記複数のボスと接続されていることが好ましい。
なお、締結部材としては、ねじを例示できる。
ここで、上記締結部材が挿通されるボスは、比較的大きく剛性が高い。このため、複数のボスが壁部と接続されていれば、当該壁部の剛性を高めることができ、ひいては、側面部の強度及び剛性を高めることができる。また、複数のボスが側面部と接続されていれば、当該側面部の強度及び剛性を高めることができる。従って、第１筐体部及び第２筐体部を締結するボスを利用して、側面部の振動を効果的に抑制でき、ひいては、当該振動に伴う騒音の発生を確実に抑制できる。
【０００９】
上記一態様では、前記第１筐体部及び前記第２筐体部のうち、一方の筐体部は、前記壁部及び前記接続部を有し、他方の筐体部は、前記一方の筐体部側に突出して、前記側面部に沿って配置されるリブを有し、前記接続部は、前記リブが嵌まり込む凹部を有することが好ましい。
このような構成によれば、上記他方の筐体部のリブが、側面部においてファンに対向する面に沿って配置されることにより、上記側面部の強度及び剛性をより高めることができる。そして、側面部が振動するような場合でも、接続部の凹部に嵌まり込むリブによって、当該側面部の振動を抑制できる。従って、当該振動に伴う騒音の発生を抑制できる。
【００１０】
上記一態様では、前記側面部と前記壁部との間に設けられる吸音材を有することが好ましい。
このような構成によれば、当該吸音材によって、ファンから生じる騒音を吸収できる。この他、側面部、壁部及び接続部によって囲まれる空間に吸音材が配置されることにより、当該空間を埋めることができる。従って、側面部の強度及び剛性を一層高めることができ、上記騒音の発生を一層確実に抑制できる。
【図面の簡単な説明】
【００１１】
【図１】本発明の一実施形態に係るプロジェクターを示す斜視図。
【図２】上記実施形態におけるプロジェクターの装置本体を示す平面図。
【図３】上記実施形態における画像投射装置の構成を示す模式図。
【図４】上記実施形態における外装筐体内の排気ファン近傍の構成を示す斜視図。
【図５】図２のＡ−Ａ線におけるプロジェクター１の断面の一部を示す図。
【図６】上記実施形態における防振構造及び排気ファンを示す平面図。
【発明を実施するための形態】
【００１２】
以下、本発明の一実施形態について、図面に基づいて説明する。
［プロジェクターの概略構成］
図１は、本実施形態に係るプロジェクター１を正面側上方から見た斜視図である。
本実施形態に係るプロジェクター１は、光源から出射された光を変調して画像情報に応じた画像を形成し、当該画像をスクリーン等の被投射面上に拡大投射する画像表示装置である。このプロジェクター１は、携帯可能に薄型化されたモバイルプロジェクターとして構成されており、図１に示すように、外装を構成する外装筐体２と、当該外装筐体２内に配置される装置本体３（図２参照）と、を備える。
このようなプロジェクター１は、外装筐体２の左側面部２Ｅと当該外装筐体２内に配置される排気ファン５３との間に設けられた防振構造２３（図４参照）によって、左側面部２Ｅの強度及び剛性を高めて振動を抑制し、これにより、当該左側面部２Ｅの振動に起因する騒音の発生を抑制していることを特徴の１つとしている。
以下、プロジェクター１の各構成について詳述する。
【００１３】
［外装筐体の構成］
外装筐体２は、全体略直方体形状に形成されている。この外装筐体２は、アッパーケース２１及びロアーケース２２を有し、これらが装置本体３を上下から挟むように組み合わされて構成されている。このような外装筐体２は、アッパーケース２１によって構成される天面部２Ａと、ロアーケース２２によってそれぞれ構成される底面部２Ｂ、正面部２Ｃ、背面部２Ｄ、左側面部２Ｅ及び右側面部２Ｆと、を有する。
【００１４】
天面部２Ａは、後述する投射光学装置４６に設けられた操作レバー４６２を露出させる開口部２Ａ１を有する。この操作レバー４６２は、当該投射光学装置４６によって投射される画像のフォーカス調整又はズーム調整を行うためのレバーである。また、天面部２Ａは、プロジェクター１に対する各種操作を受け付ける操作パネル２Ａ２を有する。
右側面部２Ｆには、外部の空気を冷却気体として外装筐体２の内部に導入する吸気口２Ｆ１を有する。
【００１５】
正面部２Ｃは、開口部２Ｃ１及び排気口２Ｃ２を有する。
開口部２Ｃ１は、正面部２Ｃにおける略中央に位置し、投射光学装置４６から投射される画像を通過させる。
排気口２Ｃ２は、正面部２Ｃの左側面部２Ｅ側に位置し、外装筐体２内を流通した冷却気体を排出する。この排気口２Ｃ２には、仕切部材２Ｃ３が嵌め込まれており、当該仕切部材２Ｃ３は、縦横に延出する複数のルーバー２Ｃ４を有する。なお、仕切部材２Ｃ３は、後述する排気ファン５３の送出部５３５を保持する機能も有する。
底面部２Ｂは、複数の脚部２Ｂ１を有する他、排気ファン５３に応じた位置に吸気口（図示省略）を有する。この吸気口を介して、外装筐体２外の空気が排気ファン５３によって取り込まれ、当該外装筐体２内を流通した冷却気体と混ざることにより、排気ファン５３によって仕切部材２Ｃ３及び排気口２Ｃ２から排出される気体の温度が下げられる。
【００１６】
このような外装筐体２は、図１では図示を省略するが、後述する排気ファン５３の駆動に伴って左側面部２Ｅから騒音が発生することを抑制する防振構造２３を内部に有する。この防振構造２３については、後に詳述する。
【００１７】
なお、以下の説明では、互いに直交する＋Ｘ方向、＋Ｙ方向及び＋Ｚ方向のうち、＋Ｘ方向を左側面部２Ｅ側から右側面部２Ｆ側に向かう方向とし、＋Ｙ方向を、底面部２Ｂ側から天面部２Ａ側に向かう方向とし、＋Ｚ方向を背面部２Ｄ側から正面部２Ｃ側に向かう方向とする。すなわち、＋Ｘ方向は、正面部２Ｃに正対した場合のプロジェクター１（外装筐体２）の幅方向に沿う方向であり、＋Ｙ方向は、プロジェクター１（外装筐体２）の高さ方向に沿う方向であり、＋Ｚ方向は、＋Ｙ方向側から見て、投射光学装置４６によって画像が投射される方向に沿う方向である。また、＋Ｚ方向とは反対方向を−Ｚ方向とする。−Ｘ方向及び−Ｙ方向も同様である。
そして、上記ロアーケース２２は、本発明の第１筐体部及び第２筐体部のうちの一方の筐体部に相当し、上記アッパーケース２１は、他方の筐体部に相当する。また、左側面部２Ｅは、アッパーケース２１とロアーケース２２とが対向する第１方向（±Ｙ方向に沿う方向）に直交する第２方向（±Ｘ方向に沿う方向）に交差する側面部である。
【００１８】
［装置本体の構成］
図２は、装置本体３を示す平面図であり、アッパーケース２１を取り外した状態のプロジェクター１を＋Ｙ方向側から見た図である。
装置本体３は、プロジェクター１の内部構造に相当し、上記外装筐体２内に配置される。この装置本体３は、図２に示すように、画像投射装置４、冷却装置５、制御装置ＣＵ及び電源装置ＰＵを備える。
これらのうち、制御装置ＣＵは、プロジェクター１全体の動作を制御するものであり、背面部２Ｄ及び天面部２Ａに沿って配置されている。また、電源装置ＰＵは、プロジェクター１を構成する電子部品に電力を供給するものであり、正面部２Ｃ側の略中央（詳しくは、投射光学装置４６と排気ファン５３との間）に配置されている。
【００１９】
［画像投射装置の構成］
図３は、画像投射装置４の構成を示す模式図である。
画像投射装置４は、上記制御装置ＣＵによる制御の下、画像情報に応じた画像を形成及び投射する。この画像投射装置４は、図３に示すように、光源装置４１、均一化装置４２、色分離装置４３、リレー装置４４、電気光学装置４５、投射光学装置４６及び光学部品用筐体４７を備える。
【００２０】
光源装置４１は、均一化装置４２に光束を出射する。この光源装置４１は、光源ランプ４１１、リフレクター４１２及び平行化レンズ４１３と、これらを収納するハウジング４１４と、を有する。しかしながら、光源装置４１は、ＬＥＤ（Light Emitting Diode）やＬＤ（Laser Diode）等の固体光源を有する構成としてもよい。また、光源装置４１は、当該固体光源と、固体光源から出射された光の少なくとも一部の波長を変換する波長変換素子とを有する構成としてもよい。更に、光源装置の数は、２つ以上でもよい。
均一化装置４２は、光源装置４１から入射される光束の中心軸に直交する面内の照度を均一化する。この均一化装置４２は、光源装置４１からの光束の入射順に、第１レンズアレイ４２１、調光装置４２２、第２レンズアレイ４２３、偏光変換素子４２４及び重畳レンズ４２５を有する。なお、調光装置４２２は、無くてもよい。
【００２１】
色分離装置４３は、均一化装置４２から入射される光束から、赤（Ｒ）、緑（Ｇ）及び青（Ｂ）の３つの色光を分離する。この色分離装置４３は、ダイクロイックミラー４３１，４３２及び反射ミラー４３３を有する。
リレー装置４４は、分離された３つの色光のうち、他の色光に比べて光路が長い赤色光の光路上に設けられる。このリレー装置４４は、入射側レンズ４４１、リレーレンズ４４３及び反射ミラー４４２，４４４を有する。
【００２２】
電気光学装置４５は、分離された各色光を画像情報に応じてそれぞれ変調した後、当該各色光を合成して、投射光学装置４６によって投射される画像光を形成する。この電気光学装置４５は、各色光に応じて設けられる３つのフィールドレンズ４５１、３つの入射側偏光板４５２、光変調装置としての３つの液晶パネル４５３（赤、緑及び青用の液晶パネルをそれぞれ４５３Ｒ，４５３Ｇ，４５３Ｂとする）及び３つの出射側偏光板４５４と、１つの色合成装置４５５と、を有する。これらのうち、色合成装置４５５は、変調された各色光を合成するものであり、本実施形態ではクロスダイクロイックプリズムによって構成されている。しかしながら、これに限らず、色合成装置４５５は、複数のダイクロイックミラーによって構成することも可能である。
【００２３】
投射光学装置４６は、電気光学装置４５によって形成された画像光を上記被投射面上に拡大投射する。この投射光学装置４６は、複数のレンズ（図示省略）と、当該複数のレンズを内部に収納する鏡筒４６１とを備えた組レンズとして構成されている。これらのうち、鏡筒４６１には、上記操作レバー４６２（図１参照）が外周面に設けられている。
【００２４】
光学部品用筐体４７は、上記装置４１〜４６を構成する光学部品の一部を支持する。この光学部品用筐体４７には、照明光軸ＡＸが設定されており、上記各装置４１〜４６は、当該照明光軸ＡＸ上の所定位置に配置される。例えば、光源装置４１が光学部品用筐体４７に接続された際には、当該光源装置４１から出射される光束の中心軸は、照明光軸ＡＸと一致する。
【００２５】
［冷却装置の構成］
冷却装置５は、図２に示すように、それぞれ冷却対象である画像投射装置４（特に電気光学装置４５及び偏光変換素子４２４）、制御装置ＣＵ及び電源装置ＰＵに冷却気体を流通させて、これらを冷却する。この冷却装置５は、ファン５１，５２、排気ファン５３及び複数のダクト（図示省略）を有する。
ファン５１は、正面部２Ｃと右側面部２Ｆとの交差部位近傍（換言すると、投射光学装置４６に対して右側面部２Ｆ側の部位）に配置されている。このファン５１は、上記吸気口２Ｆ１を介して外装筐体２の外部の気体を吸引して、ダクトを介して上記電気光学装置４５及び偏光変換素子４２４に送出する。
ファン５２は、光源装置４１に対して背面部２Ｄ側の部位に配置されている。このファン５２は、外装筐体２内の気体を吸引して、光源装置４１に送出する。
【００２６】
図４は、排気ファン５３近傍のプロジェクター１内部の構成を示す斜視図である。
排気ファン５３は、図２及び図４に示すように、正面部２Ｃと左側面部２Ｅとの交差部位近傍（換言すると、排気口２Ｃ２に応じた部位）に位置する。この排気ファン５３は、外装筐体２内を流通した冷却気体を吸引して、仕切部材２Ｃ３及び排気口２Ｃ２を介して当該冷却気体を外装筐体２外に排出する。このような排気ファン５３は、冷却気体を吸引及び吐出するファン本体５３１と、当該ファン本体５３１を収容するファン筐体５３２と、を有する。
【００２７】
ファン本体５３１は、排気に特化した両面吸気型の遠心力ファンである。このファン本体５３１は、詳しい図示を省略するが、複数の羽根が設けられた羽根部材と、当該羽根部材を＋Ｙ方向に沿う回転軸を中心として回転させるモーター等の回転装置と、これらを収容するファンケースと、を有する。
これらのうち、ファンケースは、当該回転軸に直交し、かつ、互いに対向する２つの面（＋Ｙ方向側の面及び−Ｙ方向側の面）のそれぞれに、冷却気体を導入する導入口を有し、当該回転軸に直交する方向に開口する送出口を有する。
【００２８】
ファン筐体５３２は、上記ファンケースの導入口及び送出口を除いてファン本体５３１を覆う筐体である。このファン筐体５３２は、図４に示すように、一対の吸気面５３３，５３４（吸気面５３４については図５参照）と、送出部５３５と、２つの取付部５３６と、を備える。
一対の吸気面５３３，５３４は、ファン筐体５３２において上記羽根部材の回転軸に直交し、かつ、互いに直交する面である。＋Ｙ方向側を向く吸気面５３３は、ファンケースにおける上記２つの面のうち、吸気面５３３によって覆われる面の導入口に応じた位置に、円形状の開口部５３３１を有する。−Ｙ方向側を向く吸気面５３４は、ファンケースにおける上記２つの面のうち、吸気面５３４によって覆われる面の導入口に応じた位置に、円形状の開口部５３４１（図５参照）を有する。
送出部５３５は、ファンケースにおける上記送出口に応じた位置に形成された開口部（図示省略）を有する。この送出部５３５は、仕切部材２Ｃ３によって支持されて、当該送出口から吐出された冷却気体を仕切部材２Ｃ３に向けて送出する。
【００２９】
２つの取付部５３６は、上記送出部５３５とは反対側（−Ｚ方向側）に位置し、ロアーケース２２にファン筐体５３２、ひいては、排気ファン５３を取り付ける部位である。これら取付部５３６のうち、一方は、ファン筐体５３２において−Ｘ方向側に位置し、他方は、ファン筐体５３２において＋Ｘ方向側に位置する。
【００３０】
［防振構造の構成］
図５は、図２のＡ−Ａ線におけるプロジェクター１の断面の一部（−Ｘ方向側の端部近傍の部位）を拡大して示す図である。また、図６は、防振構造２３及び排気ファン５３を＋Ｙ方向側から見た平面図である。
外装筐体２は、上記のように、排気ファン５３の駆動に応じて生じる左側面部２Ｅの振動を抑制し、当該左側面部２Ｅから騒音が発生することを抑制する防振構造２３を有する。この防振構造２３は、図４〜図６に示すように、壁部２３１、ボス２３２，２３３、接続部２３４〜２３７、リブ２３８、突出部２３９及び吸音材ＡＭ（図６）を有する。
【００３１】
壁部２３１は、底面部２Ｂに応じたロアーケース２２の内面２２Ｂから、左側面部２Ｅに沿うように起立するリブである。この壁部２３１は、外装筐体２内に配置された排気ファン５３に対して−Ｘ方向側に位置する。すなわち、壁部２３１は、左側面部２Ｅと排気ファン５３との間に位置する。
このような壁部２３１の＋Ｚ方向における寸法は、図６に示すように、排気ファン５３において曲面形状を有する−Ｘ方向側の側面部５３７のうち、左側面部２Ｅに応じたロアーケース２２の内面２２Ｅからの寸法が所定寸法内である部位に応じて設定されている。すなわち、壁部２３１は、内面２２Ｅからの寸法が所定寸法内である側面部５３７の部位に応じて設けられている。より詳述すると、壁部２３１は、内面２２Ｅからの寸法が所定寸法内である側面部５３７の部位を−Ｘ方向側から覆うように形成されている。なお、当該所定寸法は、排気ファン５３の駆動に伴う気流等に起因する左側面部２Ｅの振動のし易さ等によって設定される。一方、壁部２３１は、−Ｘ方向側から見て排気ファン５３が覆われるように形成されていてもよい。この場合、壁部２３１が占めるスペースは大きくなる。
また、壁部２３１の起立方向（＋Ｙ方向）における先端部は、図５に示すように、左側面部２Ｅの先端部（＋Ｙ方向側の端部）より−Ｙ方向側に位置しており、側面部５３７の＋Ｙ方向における略中央に応じた位置と対応している。
【００３２】
ボス２３２，２３３は、それぞれ、内面２２Ｂから突出する円筒状の突出部である。これらボス２３２，２３３は、ロアーケース２２とアッパーケース２１とを固定するねじＳＣが底面部２Ｂ側から挿通する孔部２３２１，２３３１を有し、左側面部２Ｅと排気ファン５３との間に設けられている。これらのうち、＋Ｚ方向側に位置するボス２３２は、壁部２３１における＋Ｚ方向側の端部と接続され、−Ｚ方向側に位置するボス２３３は、壁部２３１における−Ｚ方向側の端部と接続されている。
【００３３】
接続部２３４〜２３７は、内面２２Ｂから起立して、壁部２３１及びボス２３２，２３３と左側面部２Ｅとを接続する。
これら接続部２３４〜２３７のうち、最も＋Ｚ方向側に位置する接続部２３４は、ボス２３２と接続され、最も−Ｚ方向側に位置する接続部２３７は、ボス２３３と接続されている。なお、接続部２３４，２３７における＋Ｙ方向側の端部の位置は、図４に示すように、壁部２３１における＋Ｙ方向側の端部の位置と略一致している。
【００３４】
これら接続部２３４，２３７に挟まれる接続部２３５，２３６は、それぞれ、壁部２３１を＋Ｚ方向において三分割する位置に設けられ、当該壁部２３１と上記内面２２Ｅとを接続する。すなわち、壁部２３１と内面２２Ｅとの間の空間は、接続部２３４〜２３７によって空間Ｓ１〜Ｓ３に三分割される。これら接続部２３４，２３５における＋Ｙ方向側の端部は、図４及び図６に示すように、壁部２３１における＋Ｙ方向側の端部より更に＋Ｙ方向側に位置する。
このような接続部２３５，２３６における＋Ｙ方向側の端部には、＋Ｙ方向側に開口する凹部２３５１，２３６１が形成されている。
【００３５】
リブ２３８は、図５に示すように、アッパーケース２１において天面部２Ａとは反対側の面（ロアーケース２２と対向する面）である内面２１Ａの外縁より僅かに内側に位置し、当該内面２１Ａの外縁に沿ってロアーケース２２側に突出している。このリブ２３８は、ケース２１，２２が組み合わされた際に、上記内面２２Ｅを含むロアーケース２２の内面に沿うように配置される。これにより、各ケース２１，２２を適切に組み合わせることができる。
このようなリブ２３８の突出方向先端部は、上記凹部２３５１，２３６１に嵌まり込む。これにより、ケース２１，２２をより安定して組み合わせることができる。なお、リブ２３８は、必ずしも内面２２Ｅに接触している必要はないが、当該リブ２３８が内面２２Ｅに接触することにより、左側面部２Ｅの強度及び剛性をより一層高めることができる。
【００３６】
突出部２３９は、内面２１Ａにおいてリブ２３８より内側に位置し、当該内面２１Ａからロアーケース２２側に突出している。この突出部２３９は、上記壁部２３１に応じた位置に設けられている。
具体的に、突出部２３９は、ケース２１，２２が組み合わされた際に、壁部２３１に対して僅かに＋Ｘ方向側にずれるように上記内面２１Ａから突出している。この突出部２３９の突出寸法（−Ｙ方向に沿う寸法）は、−Ｘ方向側及び＋Ｚ方向側から見て、当該突出部２３９の突出方向先端部（−Ｙ方向側の先端部）と壁部２３１の突出方向先端部との間に、隙間ＧＰが形成されるように設定されている。
このように、壁部２３１と突出部２３９とは、これらが各ケース２１，２２の公差等によって＋Ｙ方向において重なる位置に形成された場合でも、互いに当接しないように設計されている。このように設計しておく方が、製造された外装筐体２において壁部２３１と突出部２３９とが当接したりしなかったりする場合に比べて、これら壁部２３１及び突出部２３９を安定させることができる。そして、当該壁部２３１及び突出部２３９によって、−Ｘ方向側から見て、隙間ＧＰを除いて排気ファン５３を覆うことができる。
【００３７】
吸音材ＡＭは、上記空間Ｓ１〜Ｓ３内にそれぞれ配置され、排気ファン５３の駆動に伴って生じる騒音を吸収して、当該騒音が左側面部２Ｅを介して外装筐体２外部に漏出することを抑制する。このような吸音材ＡＭの材料としては、ウレタンフォーム等の発泡樹脂や、グラスウール及びロックウール等の繊維を例示できる。
【００３８】
［実施形態の効果］
以上説明した本実施形態に係るプロジェクター１によれば、以下の効果がある。
外装筐体２は、互いに組み合わされるアッパーケース２１及びロアーケース２２を有する。この他、外装筐体２は、各ケース２１，２２が対向する±Ｙ方向に直交する±Ｘ方向に交差する側面部である左側面部２Ｅを有する。また、外装筐体２は、左側面部２Ｅ及び排気ファン５３の間に位置する壁部２３１と、これら左側面部２Ｅ及び壁部２３１を接続する接続部２３５，２３６と、を有する。これによれば、壁部２３１及び接続部２３５，２３６によって、左側面部２Ｅを補強できるので、当該左側面部２Ｅの強度及び剛性を高めることができる。このため、当該左側面部２Ｅ近傍に配置された排気ファン５３の駆動に伴って左側面部２Ｅが振動するような場合でも、当該左側面部２Ｅの振動を抑制できる。従って、左側面部２Ｅにて振動に伴う騒音が生じることを抑制できる。
【００３９】
外装筐体２は、アッパーケース２１及びロアーケース２２を締結する締結部材としてのねじＳＣが挿通する複数のボス２３２，２３３を有する。そして、上記壁部２３１は、これらボス２３２，２３３と接続され、左側面部２Ｅの内面２２Ｅは、接続部２３４，２３７を介してボス２３２，２３３と接続されている。すなわち、壁部２３１及び内面２２Ｅは、比較的大きく剛性が高いボス２３２，２３３と接続される。これによれば、壁部２３１及び左側面部２Ｅの強度及び剛性を高めることができる。従って、左側面部２Ｅの振動を効果的に抑制でき、当該振動に伴う騒音の発生を確実に抑制できる。
【００４０】
一方の筐体部としてのロアーケース２２は、壁部２３１及び接続部２３５，２３６を有する。また、他方の筐体部としてのアッパーケース２１は、ロアーケース２２側に突出して、左側面部２Ｅに沿って配置されるリブ２３８を有する。そして、接続部２３５，２３６は、当該リブ２３８の先端部が嵌まり込む凹部２３５１，２３６１を有する。これによれば、リブ２３８が、内面２２Ｅ（左側面部２Ｅにおいて排気ファン５３に対向する面）に沿って配置されることにより、左側面部２Ｅの強度及び剛性をより高めることができる。そして、左側面部２Ｅが振動するような場合でも、凹部２３５１，２３６１に嵌まり込むリブ２３８によって、当該左側面部２Ｅの振動を抑制できる。従って、当該振動に伴う騒音の発生を抑制できる。
【００４１】
左側面部２Ｅの内面２２Ｅと壁部２３１との間に形成される空間Ｓ１〜Ｓ３には、吸音材ＡＭが配置される。これによれば、当該吸音材ＡＭによって、排気ファン５３から生じる騒音を吸収できる。この他、当該空間Ｓ１〜Ｓ３を吸音材ＡＭによって埋めることができる。従って、左側面部２Ｅの強度及び剛性をより高めることができ、上記騒音の発生を一層確実に抑制できる。
【００４２】
［実施形態の変形］
本発明は、上記実施形態に限定されるものではなく、本発明の目的を達成できる範囲での変形、改良等は本発明に含まれるものである。
上記実施形態では、ファンとの間に壁部が設けられる外装筐体２の側面部は、左側面部２Ｅであるとした。しかしながら、これに限らず、当該側面部は、正面部２Ｃ、背面部２Ｄ及び右側面部２Ｆのいずれかであってもよい。
また、本発明の側面部としての左側面部２Ｅは、ロアーケース２２によって構成されるとした。しかしながら、これに限らず、アッパーケース２１によって構成されてもよく、アッパーケース２１及びロアーケース２２のそれぞれによって構成されてもよい。
【００４３】
上記実施形態では、防振構造２３を構成する壁部２３１、ボス２３２，２３３、接続部２３４〜２３７は、排気ファン５３が取り付けられるロアーケース２２に形成され、リブ２３８及び突出部２３９は、アッパーケース２１に形成されているとした。しかしながら、これに限らず、壁部２３１、ボス２３２，２３３、接続部２３４〜２３７は、アッパーケース２１に形成されていてもよく、リブ２３８及び突出部２３９は、ロアーケース２２に形成されていてもよい。この際、排気ファン５３は、アッパーケース２１に取り付けられる構成であってもよい。
また、壁部２３１と左側面部２Ｅとを接続する接続部の数、ボス２３２，２３３の数、及び、当該ボス２３２，２３３と左側面部２Ｅとを接続する接続部の数は、適宜変更可能である。
【００４４】
上記実施形態では、本発明の側面部及び壁部の近傍に配置されるファンは、排気ファン５３であるとした。しかしながら、これに限らず、上記ファン５１，５２のように、外装筐体２の外部から冷却気体を内部に導入するファンや、外装筐体２内の冷却気体を冷却対象に送出するファンであってもよい。すなわち、本発明のファンは、外装筐体内に配置されるファンであれば、どのようなファンであってもよい。
【００４５】
上記実施形態では、各ケース２１，２２を締結する締結部材としてのねじＳＣが挿通するボス２３２，２３３は、壁部２３１と接続される他、接続部２３４，２３７を介して左側面部２Ｅと接続されるとした。しかしながら、これに限らず、ボス２３２，２３３は、壁部２３１及び左側面部２Ｅの少なくとも一方と接続されていなくてもよい。また、壁部２３１におけるボス２３２，２３３との接続部位は、＋Ｚ方向側の端部及び−Ｚ方向側の端部に限らず、壁部２３１は、ボス２３２，２３３の外側に更に延出していてもよい。すなわち、壁部とボスとの接続部位は、適宜変更可能であり、壁部と接続されるボスの数も適宜変更可能である。
更に、本発明の締結部材としてねじＳＣを採用したが、これに限らず、ボス内に設けられるナット（例えばインサートナット）とボルトとの組合せを採用してもよい。すなわち、アッパーケース２１とロアーケース２２とを締結できれば、締結部材の種類及び構成は問わない。
【００４６】
上記実施形態では、アッパーケース２１は、左側面部２Ｅの内面２２Ｅに沿って配置されるリブ２３８を有するとした。しかしながら、このようなリブ２３８は無くてもよい。また、リブ２３８の突出方向先端部は、接続部２３５，２３６の凹部２３５１，２３６１に嵌まり込まなくてもよい。この場合、凹部２３５１，２３６１を省略できる。
同様に、突出部２３９は無くてもよい。一方、突出部２３９が設けられる場合でも、当該突出部２３９は、壁部２３１と接していてもよく、突出部２３９と壁部２３１との間に、大きな隙間が空いていてもよい。更に、これら突出部２３９及び壁部２３１の一方が他方に対して＋Ｘ方向側にずれている場合、−Ｘ方向側から見て、突出部２３９の一部と壁部２３１の一部とが重なっていてもよい。
【００４７】
上記実施形態では、左側面部２Ｅと壁部２３１との間に位置し、接続部２３５，２３６によって仕切られる空間Ｓ１〜Ｓ３には、吸音材ＡＭが配置されるとした。しかしながら、これに限らず、このような吸音材ＡＭは無くてもよく、当該空間Ｓ１〜Ｓ３は、空隙となっていてもよい。更に、吸音材ＡＭに代えて、遮音材が設けられていてもよい。このような遮音材としては、密度が高く比較的重い金属により形成された金属板を例示できる。但し、このような遮音材は、吸音材に比べて重いため、当該遮音材が設けられる場合には、プロジェクター１の重量が大きくなる。
【００４８】
上記実施形態では、排気ファン５３は、遠心力ファンであった。しかしながら、これに限らず、これら排気ファン５３は、軸流ファンであってもよい。
また、排気ファン５３は、ファン本体５３１とファン筐体５３２とを有する構成であった。しかしながら、これに限らず、ファン筐体５３２はなくてもよい。
更に、排気ファン５３における送出部５３５は、仕切部材２Ｃ３と接続されているとした。しかしながら、これに限らず、送出部５３５と仕切部材２Ｃ３とは直接接続されていなくてもよい他、ダクトを介して接続されてもよい。
【００４９】
上記実施形態では、プロジェクター１は、光変調装置としての３つの液晶パネル４５３（４５３Ｒ，４５３Ｇ，４５３Ｂ）を備えるとした。しかしながら、これに限らず、２つ以下、あるいは、４つ以上の液晶パネルを備えたプロジェクターにも、本発明を適用可能である。
上記実施形態では、画像投射装置４は、図２及び図３に示したように平面視略Ｌ字形状に構成されていた。しかしながら、これに限らず、画像投射装置４は、例えば平面視略Ｕ字形状に構成されていてもよい。更に、画像投射装置４を構成する光学部品は、上記に限らず、適宜変更可能である。
【００５０】
上記実施形態では、光入射面と光出射面とが異なる透過型の液晶パネル４５３を用いていたが、光入射面と光出射面とが同一となる反射型の液晶パネルを用いてもよい。また、入射光束を変調して画像情報に応じた画像を形成可能な光変調装置であれば、マイクロミラーを用いたデバイス、例えば、ＤＭＤ（Digital Micromirror Device）等を利用したものなど、液晶以外の光変調装置を、本発明のプロジェクターに用いてもよい。
【符号の説明】
【００５１】
１…プロジェクター、２…外装筐体、２１…アッパーケース（第１筐体部及び第２筐体部の他方の筐体部）、２２…ロアーケース（第１筐体部及び第２筐体部の一方の筐体部）、２３１…壁部、２３２，２３３…ボス、２３５，２３６…接続部、２３５１，２３６１…凹部、２３８…リブ、２Ｅ…左側面部（側面部）、４…画像投射装置、５３…排気ファン（ファン）、ＡＭ…吸音材。
【図１】
2018017964.tif 000003
【図２】
2018017964.tif 000004
【図３】
2018017964.tif 000005
【図４】
2018017964.tif 000006
【図５】
2018017964.tif 000007
【図６】
2018017964.tif 000008